(57)【要約】【課題】毛髪をセットするだけでなく、ヘアアイロンのヒータ部に微弱電流（マイクロカレント）を供給することで、毛髪細胞に刺激を与え、毛髪の活性化に貢献するヘアアイロンを提供する。【解決手段】毛髪を挟持する第一挟持部及び第二挟持部と、前記第一挟持部に配備される第一ヒータ部と、前記第二挟持部に配備される第二ヒータ部と、を備えるヘアアイロンであって、前記第一ヒータ部と前記第二ヒータ部とに供給される電流の大きさよりも小さい微弱電流を発生する微弱電流発生部を、前記第一挟持部及び／又は前記第二挟持部に備えているヘアアイロン。【選択図】図１
2018175725.tif 000002
【特許請求の範囲】
【請求項１】
毛髪を挟持する第一挟持部及び第二挟持部と、前記第一挟持部に配備される第一ヒータ部と、前記第二挟持部に配備される第二ヒータ部と、を備えるヘアアイロンであって、
前記第一ヒータ部と前記第二ヒータ部とに供給される電流の大きさよりも小さい微弱電流を発生する微弱電流発生部を、前記第一挟持部及び／又は前記第二挟持部に備えている
ヘアアイロン。
【請求項２】
前記微弱電流発生部は、前記第一ヒータ部及び前記第二ヒータ部と電気的に接続されている前記電流の供給を制御する制御部とは別に、前記第一ヒータ部及び前記第二ヒータ部と電気的に接続されている
請求項１記載のヘアアイロン。
【請求項３】
前記微弱電流発生装部は、前記第一ヒータ部及び前記第二ヒータ部と電気的に接続されている前記電流の供給を制御する制御部に配備されている
請求項１記載のヘアアイロン。
【発明の詳細な説明】
【技術分野】
【０００１】
この発明は、ヘアアイロンに関する。
【背景技術】
【０００２】
毛髪を所定の形状にセットするヘアアイロンは種々提案されている。
【０００３】
特許文献１には、毛髪を所望のカール形状に、容易にセット可能なヘアアイロンが提案されている。
【０００４】
特許文献２には、毛髪にダメージを与えることなく、所望の形状に毛髪を施術できるヘアアイロンが提案されている。
【先行技術文献】
【特許文献】
【０００５】
【特許文献１】特開２０１４−１１７３６５号公報
【特許文献２】特開２０１５−９０８８号公報
【発明の概要】
【発明が解決しようとする課題】
【０００６】
上記特許文献で提案されているヘアアイロンの他、髪質の改善が可能なヘアアイロンが求められている。
【０００７】
この発明は、毛髪をセットするだけでなく、毛髪の茂樹、活性化を図ることのできるヘアアイロンを提供することを目的にしている。
【課題を解決するための手段】
【０００８】
［１］
毛髪を挟持する第一挟持部及び第二挟持部と、前記第一挟持部に配備される第一ヒータ部と、前記第二挟持部に配備される第二ヒータ部と、を備えるヘアアイロンであって、
前記第一ヒータ部と前記第二ヒータ部とに供給される電流の大きさよりも小さい微弱電流を発生する微弱電流発生部を、前記第一挟持部及び／又は前記第二挟持部に備えている
ヘアアイロン。
【０００９】
［２］
前記微弱電流発生部は、前記第一ヒータ部及び前記第二ヒータ部と電気的に接続されている前記電流の供給を制御する制御部とは別に、前記第一ヒータ部及び前記第二ヒータ部と電気的に接続されている
［１］のヘアアイロン。
【００１０】
［３］
前記微弱電流発生装部は、前記第一ヒータ部及び前記第二ヒータ部と電気的に接続されている前記電流の供給を制御する制御部に配備されている
［１］のヘアアイロン。
【発明の効果】
【００１１】
この発明によれば、毛髪をセットするだけでなく、ヘアアイロンのヒータ部に微弱電流（マイクロカレント）を供給することで、毛髪細胞に刺激を与え、毛髪の活性化に貢献するヘアアイロンを提供することができる。
【図面の簡単な説明】
【００１２】
【図１】本発明の一例の概略構成を表す図である。
【図２】本発明の他の例の概略構成を表す図である。
【発明を実施するための形態】
【００１３】
以下、添付図面を参照して、本発明の実施形態の一例を説明する。
【００１４】
図１、図２図示の形態のヘアアイロン１は、毛髪を挟持する第一挟持部３と第二挟持部４を備えている。第一挟持部３の一方側の端部（後端部）と第二挟持部４の一方側の端部（後端部）とがヒンジ５によって連結されてハウジング２が形成される。
【００１５】
第一挟持部３と第二挟持部４を握ってそれぞれを図１に矢印１６、１７で示す方向へ移動させることでハウジング２を閉鎖することが可能になっている。第一挟持部３と第二挟持部４とに加える矢印１６、１７方向への力を解除すると、ヒンジ５が備えている付勢力により、第一挟持部３、第二挟持部４がそれぞれ矢印１６、１７と反対の方向に動き、図１図示の開いている状態に戻る。
【００１６】
第一挟持部３の他方側の端部（先端部）には第一ヒータ部６が配備されている。
【００１７】
第二挟持部４の他方側（先端部）には第二ヒータ部７が配備されている。
【００１８】
第一挟持部３に配備されている第一ヒータ部６の第二挟持部４に向かう面は平坦な第一毛髪挟持面８となっている。
【００１９】
第二挟持部４に配備されている第二ヒータ部７の第一挟持部３に向かう面は平坦な第二毛髪挟持面９となっている。
【００２０】
第一挟持部３を矢印１７の方向へ、第二挟持部４を矢印１６の方向へ移動させてハウジング２を閉じることで、第一毛髪挟持面８と第二毛髪挟持面９との間に毛髪が挟持される。
【００２１】
第一ヒータ部６と第二ヒータ部７は、ハウジング２内に配備されている制御部１０と電流供給路１２を介して電気的に接続されている。電源ケーブル１３から供給される電流が制御部１０によって制御され、電流供給路１２を介して第一ヒータ部６と第二ヒータ部７に供給される。
【００２２】
第一ヒータ部６と第二ヒータ部７への前記電流の供給により、第一毛髪挟持面８と第二毛髪挟持面９は加熱され、加熱された第一毛髪挟持面８と第二毛髪挟持面９との間に挟持された毛髪が加熱され、髪の毛の所望のセットを行うことができる。
【００２３】
この実施形態のヘアアイロン１では、ハウジング２内に微弱電流発生部１４を備えている。微弱電流発生部１４は、電源ケーブル１３から第一ヒータ部６と第二ヒータ部７とに供給される電流の大きさよりも小さい微弱電流（マイクロカレント）を発生するものである。
【００２４】
図１、図２図示の形態では、微弱電流発生部１４はハウジング２を構成する第一挟持部３に配備されている。この他、微弱電流発生部１４を第二挟持部４、あるいは第一挟持部３と第二挟持部４の双方に配備することもできる。
【００２５】
図１図示の形態では、微弱電流発生部１４として、例えば、太陽電池などの小型な電力機器を使用している。このような微弱電流発生部１４が、第一ヒータ部６及び第二ヒータ部７と電気的に接続されている前記電流の供給を制御する制御部１０とは別に、微弱電流供給路１５を介して第一ヒータ部６と第二ヒータ部７と電気的に接続されている。
【００２６】
図２図示の形態では、微弱電流発生部１４として、制御部１０から漏れる電流を微弱電流（マイクロカレント）として第一ヒータ部６及び第二ヒータ部７に供給する制御回路等を使用している。このような微弱電流発生部１４が、第一ヒータ部６及び第二ヒータ部７と電気的に接続されている前記電流の供給を制御する制御部１０に配備されていて、電流供給路１２とは別に、微弱電流供給路１５を介して第一ヒータ部６と第二ヒータ部７と電気的に接続されている。
【００２７】
図１、図２図示のヘアアイロン１のハウジング２に設けられているスイッチ１１を操作すると、図示していない電源から電源ケーブル１３を介して制御部１０に電力が供給される。
【００２８】
制御部１０の制御により、電流供給路１２を介して第一ヒータ部６及び第二ヒータ部７にこれらを加熱するための電流が供給される。
【００２９】
第一ヒータ部６の第一毛髪挟持面８及び第二ヒータ部７の第二毛髪挟持面９は、供給された前記電流により加熱される。
【００３０】
第一挟持部３を矢印１７の方向へ、第二挟持部４を矢印１６の方向へ移動させてハウジング２を閉じて、第一毛髪挟持面８と第二毛髪挟持面９とで毛髪を挟持すると、加熱された第一毛髪挟持面８と第二毛髪挟持面９によって前記毛髪が加熱され、髪の毛のセットが行われる。
【００３１】
この実施形態では、制御部１０の制御によって、第一ヒータ部６及び第二ヒータ部７へ電流が供給される際、微弱電流発生部１４は、微弱電流供給路１５を介して前記電流の大きさよりも小さい微弱電流（マイクロカレント）を第一ヒータ部６及び第二ヒータ部７に供給する。
【００３２】
図１図示の形態では、太陽電池などの小型な電力機器が発生した微弱電流（マイクロ）を第一ヒータ部６及び第二ヒータ部７に供給する。
【００３３】
図２図示の形態では、制御部１０から漏れる電流を微弱電流（マイクロカレント）として第一ヒータ部６及び第二ヒータ部７に供給する。
【００３４】
第一ヒータ部６及び第二ヒータ部７に前記微弱電流（マイクロカレント）が供給されることで、第一毛髪挟持面８と第二毛髪挟持面９とによって挟持されている毛髪の細胞が刺激され、活性化が促される。これによって、例えば、髪の毛のキューティクルの回復などが期待できる。
【００３５】
第一ヒータ部６及び第二ヒータ部７への微弱電流（マイクロカレント）の供給は、第一ヒータ部６の第一毛髪挟持面８、第二ヒータ部７の第二毛髪挟持面９を加熱するために第一ヒータ部６、第二ヒータ部７に電流が供給されている際にのみ行われるようにすることができる。
【００３６】
このようにすれば、加熱されている第一毛髪挟持面８、第二毛髪挟持面９によって挟持されている髪の毛をストレートなどにセットしている際に、上述した毛髪細胞の刺激、活性化がなされる。
【００３７】
また、第一ヒータ部６及び第二ヒータ部７への微弱電流（マイクロカレント）の供給は、第一ヒータ部６の第一毛髪挟持面８、第二ヒータ部７の第二毛髪挟持面９を加熱するための、第一ヒータ部６、第二ヒータ部７への電流供給が行われていない際に行われるようにすることもできる。
【００３８】
このようにすれば、加熱されている第一毛髪挟持面８、第二毛髪挟持面９によって挟持されている髪の毛をストレートなどにセットする処理が行われていない状態で、上述した毛髪細胞の刺激、活性化のみを行うことになる。
【００３９】
以上、添付図面を参照して本発明の好ましい実施形態を説明したが、本発明はかかる実施形態に限定されるものではなく、特許請求の範囲の記載から把握される技術的範囲において種々に変更可能である。
【符号の説明】
【００４０】
１  ヘアアイロン
２  ハウジング
３  第一挟持部
４  第二挟持部
５  ヒンジ
６  第一ヒータ部
７  第二ヒータ部
８  第一毛髪挟持面
９  第二毛髪挟持面
１０  制御部
１１  スイッチ
１２  電流供給路
１３  電源ケーブル
１４  微弱電流発生部
１５  微弱電流供給路
【図１】
2018175725.tif 000003
【図２】
2018175725.tif 000004